(57)【要約】【課題】浴槽として使用される箱体を立設することでシャワー室にできるもので、浴槽とシャワー室を別々に作る必要がなく、シャワーを使用する場合に浴槽の側面を超える必要がなく幼児や高齢者その他危険を感じることなくシャワーを楽しめかつ水平に倒すことで浴槽として使用できる浴槽兼用シャワー室を提供することを課題とする。【解決手段】本発明の浴槽兼用シャワー室は、上方が開口部となった箱体１を該開口部が上方に位置するよう水平状態でレール４上に摺動自在に設置して該箱体１を浴槽２として使用すると共に、該箱体１の後端底部に設けた回転軸１１を回動中心として該箱体１をその開口部が前方に位置するよう立設して該箱体１をシャワー室３として使用することを特徴とする。【選択図】図１
2006346236.tif 000002
【特許請求の範囲】
【請求項１】
上方が開口部となった箱体を該開口部が上方に位置するよう水平状態でレール上に摺動自在に設置して該箱体を浴槽として使用すると共に、該箱体の底部一端に設けた回転軸を回動中心として該箱体をその開口部が前方に位置するよう立設して該箱体をシャワー室として使用することを特徴とする浴槽兼用シャワー室。
【請求項２】
箱体を浴槽として使用する場合に、浴槽底面となる面の適宜位置に排水孔がある請求項１記載の浴槽兼用シャワー室。
【請求項３】
箱体を回動立設してシャワー室としたときに、シャワー室の床面の適宜位置に排水孔がある請求項１記載の浴槽兼用シャワー室。
【請求項４】
箱体を回動立設してシャワー室としたとき、シャワー室の上部先端から下方に垂下できるシャワーカーテンを設けた請求項３記載の浴槽兼用シャワー室。
【発明の詳細な説明】
【技術分野】
【０００１】
本発明は浴槽として使用される箱体を立設することでシャワー室にできるもので浴槽とシャワー室を別々に作る必要がなく、部品数が少なく組み立て状態での輸送が容易であり設置するのが簡単な浴槽兼用シャワー室に関するものである。
【背景技術】
【０００２】
従来浴槽とシャワー室を設置する場合別々に設置すると広い場所が要求されるが、その解決法として浴槽とシャワー室を兼用させることが行われている。この方式は浴槽上部にシャワーカーテンを付けるものが多いがこれでは使用者は浴槽の側面を超えて浴槽内に入らねばならず、幼児や高齢者あるいは障害のある人には使用し難いものであった。この点を解決するものとして浴槽を立設可能としたものが提案されている。
【特許文献１】特表２００２−５２２１４１号公報（第２８頁、図３）
【発明の開示】
【発明が解決しようとする課題】
【０００３】
上記特許文献１に記載されている浴槽とシャワー室を兼用するものは浴室内で浴室の左右壁面間に接するように載置された浴槽を、浴槽を縦に立設するものであり、浴槽を傾け吊り上げ装置と動力によって浴槽を水平に、あるいは縦に立設するように移動させている。すなわち複雑な装置と動力が要求されるので簡単に設置することができないものである。本発明は平行な二本のレールを用い移動回動することで簡単に浴槽からシャワー室に、シャワー室から浴槽に変換できる浴槽兼用シャワー室を提供することをその課題とする。
【課題を解決するための手段】
【０００４】
上記課題を解決するために、本発明に係る浴槽兼用シャワー室の第一の特徴構成は、請求項１に記載した如く、上方が開口部となった箱体１を該開口部が上方に位置するよう水平状態でレール４上に摺動自在に設置して該箱体１を浴槽２として使用すると共に、該箱体１の後端底部に設けた回転軸１１を回動中心として該箱体１をその開口部が前方に位置するよう立設して該箱体１をシャワー室３とした点にある。
【０００５】
同第二の特徴構成は、請求項２に記載した如く、上記の特徴構成に加えて箱体を浴槽として使用する場合に、浴槽底面となる面の適宜位置に排水孔がある点にある。
【０００６】
同第三の特徴構成は、請求項３に記載した如く箱体を回動立設してシャワー室としたときに、シャワー室の床面の適宜位置に排水孔がある点にある。
【０００７】
同第四の特徴構成は、請求項４に記載した如く箱体を回動立設してシャワー室としたとき、シャワー室の上部先端から下方に垂下できるシャワーカーテンを設けた点にある。
【発明の効果】
【０００８】
請求項１に記載の浴槽兼用シャワー室は前記構成であり、浴槽の形状を有する箱体を浴槽としてあるいは回動立設してシャワー室として利用するものであるが、平行な二本のレールと箱体後部底面にある回転軸により複雑な装置や動力を用いることなく浴槽やシャワー室として利用できる。
【０００９】
請求項２に記載の浴槽兼用シャワー室は前記構成であり、浴槽として使用する箱体の底面の適宜位置にに排水孔があるので浴槽として使用後スムースに排水できる。
【００１０】
請求項３に記載の浴槽兼用シャワー室は前記構成であるので、箱体をシャワー室とした床面の適宜位置に排水孔があるので床面に水が溜まることが無く使用できる。
【００１１】
請求項４に記載の浴槽兼用シャワー室は前記構成であり、シャワー室の前面にシャワーカーテンを垂下することでシャワー水が飛散することがなく、シャワー室の外部を濡らすことなく利用できる。
【発明を実施するための最良の形態】
【００１２】
以下、本発明の実施形態について図面を参照して、詳細に説明する。図１ないし図５は本発明に係る浴槽兼用シャワー室の一実施例を示すものである。図１は本発明の浴槽兼用シャワー室の概略を示す斜視図であり、浴槽２として使用される箱体１を平行な二本のレール４上に立設してシャワー室３とした状態を表している。
【００１３】
レール４は浴槽２として使用した場合の上部側面２１とシャワー室３とした場合の床面の長さを加えた長さとほぼ同じ長さを有しており、その先端は図１ではレール４を屈曲させてストッパー４１を形成している。レール４、４は平行に配され平行を維持するために建物の床面７に固定され、あるいは可搬式の場合には連結材４２で左右のレール４、４を連結する。
【００１４】
ストッパー４１は本実施例では先端を屈曲させているが軟質のゴムまたはプラスチックなどの別体のストッパー４１を取り付けてもよい。特に建物の床面７が石材、タイルといった滑り易い材質の場合は滑り止めの効果もある。別体のストッパー４１を用いる場合、レール４の水平状態を得るためにもレール４の後端にも同様のストッパー４１を取り付けるのが好ましい。また図３にあるように建物の壁面６を利用することもできる
箱体１はこれを水平に載置した場合には浴槽２として使用され、立設した場合にはシャワー室３として使用される。このためにシャワー室３となる場合、上面は上方に向かって曲面を形成するように立ち上がって天井面３１となり、下面は水平となる形状が要求される。箱体１を立設したシャワー室３は本来浴槽２である為に前面は開放されており、底面はレール４、４上に摺動部材１２、１３を介して載置されている。
【００１５】
摺動部材１２はシャワー室３としたときに入り口側に取り付けられ浴槽２として使用されるときにはレール４から離脱可能なものである。一方シャワー室３の奥に配される摺動部材１３は、箱体１を回動させ浴槽２とするために回転軸１１を有するものであり、レール４とは離脱しない状態で回動可能な形状を有している。回転軸１１は本実施例では一本の軸体で左右のレール４、４間を連結しているが、箱体1が存在するために必ずしも回転軸１１でレール４、４間を連結する必要はない。１４は箱体1を立設してシャワー室３としたときに床面となる箱体1の面に設けられた排水孔である。この排水孔１４は浴槽２として使用される場合には閉鎖できるように開閉自在となるように構成されている。
【００１６】
図２に示すものは図1に示す浴槽兼用シャワー室の側面図である。ここにおいて箱体1は浴槽２あるいはシャワー室３を兼用し回転軸１１により箱体1が水平になることで浴槽２になり、立設することでシャワー室３になるので回動が容易にするために軽量化する必要があり箱体1はＦＲＰでもって形成される。箱体1はシャワー室３として使用されるのでシャワー室３の天井面３１にはシャワー用吐水口１６が設置されており給水管（図示せず）と連結されている。またシャワー室３の後部壁面は浴槽２の底部となるので浴槽２用の排水口１５が設けられている。
【００１７】
図３ないし図５は本発明の浴槽兼用シャワー室の変換状況を示すものである。図３はシャワー室３の状態を示しており箱体1はレール４、４上に立設されており、この状態から図3の矢印方向へ箱体1は立設状態でレール４上を摺動してストッパー４１に当接するまで移動し図４に示す状態になる。図４は箱体１がストッパー４１に当接した状態を示しており図４に示した矢印のように回転軸１１を支点として箱体１は水平になるように倒され図５の状態になる。この状態で箱体１は浴槽２として使用される。
【００１８】
浴槽２をシャワー室３に変換するにはこの逆を行えばシャワー室３にすることができる。すなわち図５の状態から浴槽２が立設するように回転軸１１を支点にして回動し立ち上げると図４の状態となり、次いで図３の矢印の反対方向に箱体１を移動させるためにレール４上を摺動させることで図３に示したシャワー室３の状態にすることができる。
【００１９】
図６はシャワー室３として使用されている状態を示すものである。この場合シャワーカーテン１７を設けておけばシャワー水の飛散が防止できシャワー室３の外部を濡らすことがない。シャワーカーテン１７は不使用時には巻き上げて図６に示すシャワー室３である箱体１の最上部に位置させれば良いものでありシャワー使用の場合にはシャワー室３の床面の排水口１４は開放状態にしておかれる。図７は浴槽２として使用されている状態を示している。この場合には排水口１４は閉鎖状態にしておくことで水面５を好みの高さまで維持することができる。
【００２０】
このように本願発明の浴槽兼用シャワー室は浴槽２として使用される箱体１を立設することでシャワー室３として使用できるもので簡単に設置でき、しかも部品点数が少なく、組み立て状態での輸送、搬入が可能なために施工も容易にできる。さらに建物の壁面６の位置に関係なく設置できる利点もある。
【００２１】
箱体１にはシャワー室３として、あるいは浴槽２として、各々の使用状態に応じた排水口１４、１５を設けているので水の排出が容易であり、箱体１そのものが浴槽２にあるいはシャワー室３となるので浴槽２とシャワー室３を別々に設ける必要がなく、浴槽２をまたぐことなくシャワーができるので幼児、高齢者なども危険を生じることなく使用できるものである。
【図面の簡単な説明】
【００２２】
【図１】本発明にかかる浴槽兼用シャワー室のシャワー室の概要を示す斜視図。
【図２】図１におけるシャワー室の側面図。
【図３】シャワー室としての使用するための立設状態を示す概要図。
【図４】シャワー室を移動して水平に載置する前の概要図。
【図５】シャワー室を水平に載置して浴槽とした概要図。
【図６】シャワー室での使用状態を示す概略図
【図７】浴槽としての使用状態を示す概略図。
【符号の説明】
【００２３】
１      浴槽兼用シャワー室用の箱体
１１    回転軸
１２    シャワー室の前面に配される摺動部材
１３    シャワー室の後部に配される摺動部材
１４    シャワー室の床面となる面に設けた排水口
１５    浴槽の底面になる面に設けた排水口
１６    シャワー用吐水口
１７    シャワーカーテン
２      浴槽
２１    浴槽の上部側面
３      シャワー室
３１    シャワー室の天井面
４      レール
４１    レールのストッパー
４２    レールの連結材
５      浴槽使用の場合の水面
６      建物の壁面
７      建物の床面
【図１】
2006346236.tif 000003
【図２】
2006346236.tif 000004
【図３】
2006346236.tif 000005
【図４】
2006346236.tif 000006
【図５】
2006346236.tif 000007
【図６】
2006346236.tif 000008
【図７】
2006346236.tif 000009